(57)【要約】【課題】框の周囲に低温領域が生じるのを抑制することが可能な床暖房設備を提供する。【解決手段】この床暖房設備１は、床下地２に設けた開口２ａに框４を嵌め込むとともに、ヒートパネル５ａおよび５ｂを床下地２の上に並べて敷設することにより構成されている。そして、框４の外端縁に突き当てる第１ヒートパネル５ａの端縁にヒータ用コネクタ５１が臨まされているとともに、框４の下面に抉込み部４ａを形成して、この抉込み部４ａに、第１ヒートパネル５ａのヒータ用コネクタ５１に接続可能なコネクタ部７を収容している。【選択図】図３
2007093056.tif 000002
【特許請求の範囲】
【請求項１】
床に設けた開口に框を嵌め込むとともに、ヒートパネルを前記床の上に並べて敷設した床暖房設備において、
前記框の外端縁に突き当てる前記ヒートパネルの端縁にヒータ用コネクタが臨まされているとともに、
前記框の下部に抉込み部を形成して、この抉込み部に、前記ヒートパネルのヒータ用コネクタに接続可能なコネクタ部を設けたことを特徴とする、床暖房設備。
【請求項２】
前記コネクタ部を、前記框の抉込み部内に位置する収納位置と、前記抉込み部から外部に引き出した引出位置との間を移動可能に構成したことを特徴とする、請求項１に記載の床暖房設備。
【請求項３】
前記框の一側の抉込み部のコネクタ部と、これに対向する框の他側の抉込み部のコネクタ部とを、前記框に沿って迂回させたコードで接続したことを特徴とする、請求項１または２に記載の床暖房設備。
【発明の詳細な説明】
【技術分野】
【０００１】
本発明は、電気式の床暖房設備に関する。
【背景技術】
【０００２】
従来、電気により発熱可能なパネルを床（床下地）の上に設置することにより暖房効果を得る床暖房設備が知られている。
【０００３】
この床暖房設備の一例として図６に示す従来の床暖房設備２０１では、相異なる２種類の平面視略長方形状のヒートパネル５ａおよび５ｂを適宜組み合せて床上に敷設している。ヒートパネル５ａは、その長手方向の両端にヒータ用コネクタ５１が各々内装されており、これらのヒータ用コネクタ５１間にヒータ部材が介在するように構成されていることから、ほぼ全面が発熱領域として機能するようになっている。このヒートパネル５ａは、中継コネクタ６１によりパネル同士を長手方向に電気接続して当該床暖房設備２０１を延設するように構成されたものである。
【０００４】
また、ヒートパネル５ｂは、その長手方向の一端にヒータ用コネクタ５１が内装される一方、長手方向の他端側にはヒータ用コネクタ５１およびコネクタ部７が所定領域を占有して内装されており、これらのヒータ用コネクタ５１間にヒータ部材が介在するように構成されていることから、上記長手方向他端側の所定領域（非発熱領域Ｄ）を除く領域が発熱領域として機能するようになっている。すなわち、ヒートパネル５ｂの発熱領域は、上記内装されたコネクタ部７の占有領域分だけヒートパネル５ａの発熱領域よりも小さくなっている。このヒートパネル５ｂは、上記コネクタ部７によりパネル同士を短手方向に電気接続して当該床暖房設備２０１を延設するように構成されたものである。
【０００５】
ところで、上記した従来の床暖房設備２０１において、床の適所（図６中の二点鎖線ａ）に開口を形成し、その開口に例えば掘り炬燵等を設置する技術が知られている（特許文献１参照）。このような場合には、掘り炬燵の框の外周縁にパネルを隣接させて敷設するのが好ましく、掘り炬燵近辺のパネル同士の電気的な接続を考慮すれば、図７に示すように、コネクタ部７を内装したヒートパネル５ｂを掘り炬燵の框２０４に突き当てて敷設するのが一般的である。
【特許文献１】特開２００３−１４８７５３号公報
【発明の開示】
【発明が解決しようとする課題】
【０００６】
しかしながら、図７に示すように、掘り炬燵の框２０４の外端縁にヒートパネル５ｂの端縁を突き当てて敷設した場合には、框２０４の外端縁にヒートパネル５ｂの非発熱領域Ｄが隣接することとなるため、框２０４の周囲に低温領域が生じ、ユーザが不快を感じてしまう。
【０００７】
この発明は、上記のような事由に鑑みてなされたものであり、框の周囲に低温領域が生じるのを抑制することが可能な床暖房設備を提供することを目的とする。
【課題を解決するための手段】
【０００８】
上記目的を達成するために、この発明の床暖房設備は、床に設けた開口に框を嵌め込むとともに、ヒートパネルを床の上に並べて敷設した床暖房設備において、框の外端縁に突き当てるヒートパネルの端縁にヒータ用コネクタが臨まされているとともに、框の下部に抉込み部を形成して、この抉込み部に、ヒートパネルのヒータ用コネクタに接続可能なコネクタ部を設けたことを特徴とする。
【０００９】
コネクタ部とヒートパネルのヒータ用コネクタとをより容易に接続するために、コネクタ部を、框の抉込み部内に位置する収納位置と、抉込み部から外部に引き出した引出位置との間を移動可能に構成してもよい。
【００１０】
ヒートパネルへの電力供給手段に不具合が生じるのを抑制するために、框の一側の抉込み部のコネクタ部と、これに対向する框の他側の抉込み部のコネクタ部とを、框に沿って迂回させたコードで接続した構成としてもよい。
【発明の効果】
【００１１】
この発明の床暖房設備によれば、框の下部の抉込み部に、ヒートパネルの端縁に臨まされたヒータ用コネクタに接続可能なコネクタ部を設けたので、パネルの端縁にヒータ用コネクタが配されることによりほぼ全面が発熱領域として機能可能なヒートパネルを框に突き当てて敷設することができる。これにより、框の外端縁にヒートパネルの発熱領域を隣接させることができるので、コネクタ部を内装することにより端縁付近に非発熱領域を有するタイプのヒートパネルを框に突き当てて敷設する場合と異なり、框の周囲に低温領域が生じるのを抑制することができる。
【発明を実施するための最良の形態】
【００１２】
以下、本発明の実施形態を図面に基づいて説明する。
【００１３】
図１は、本発明の一実施形態による床暖房設備の全体構成を示した分解斜視図であり、図２は、図１に示した床暖房設備の平面図である。また、図３および図４は、図２に示した床暖房設備の要部構成を説明するための断面図である。なお、図２では、ヒータ用コネクタ５１、中継コネクタ６１およびコネクタ部７を便宜上実線で示している。まず、図１を参照して、本発明の一実施形態による床暖房設備１の全体構成について説明する。
【００１４】
本発明の一実施形態による床暖房設備１は、図１に示すように、床下地２の適所に設けた開口２ａに箱体３および框４からなる掘り炬燵の一部を嵌め込むとともに、その床下地２の上に電気により発熱可能なパネル層５を形成することにより構成されている。
【００１５】
床下地２は、接地した束石２１と、その束石２１上に立設された束２２と、複数の束２２により略水平状態で支持される大引き２３と、大引き２３の上面に格子状に架け渡された根太２４とを含んでいる。また、開口２ａは、長方形状を有しており、上記構成の床下地２において根太２４を意図的に設けないことにより形成されている。この開口２ａの開口縁には、根太２４に沿って補強桟２５が設けられており、開口２ａの下方には、地表が露出している。
【００１６】
箱体３は、上部が開口した略直方体形状を有しており、その上部開口の周囲にはつば部３ａが形成されている。この箱体３は、図３に示すように、開口２ａ内に張り出した大引き２３の上面につば部３ａの下面が支持されることにより、下方に落ち込むことなく開口２ａ内に保持されている。
【００１７】
框４は、木材等により形成されており、上記箱体３の上端面に支持された状態で開口２ａに嵌め込み可能な矩形枠状を有している。ここで、框４の所定の一短辺（図１では左手前の辺）には、框４を外周側下方から抉り込んだような形状の抉込み部４ａが当該一短辺のほぼ全長に亘って形成されている。このため、上記抉込み部４ａを有する框４の一短辺の横断面形状は、略Ｌ字状となっている。
【００１８】
また、この抉込み部４ａ内には、図３に示すように、横断面直方体形状の充填材４ｂが取り付けられている。詳細には、充填材４ｂは、框４の水平部位と所定間隔を隔てた状態で框４の垂直部位に接着固定されており、充填材４ｂの下面が框４の下端面と略面一になるとともに、充填材４ｂの框４への接着面と対向する側面が框４の外端縁と略面一になるように構成されている。これにより、本実施形態の抉込み部４ａは、框４の外端縁に形成された凹状の隙間（スリット）となっている。この抉込み部４ａには、後述する第１ヒートパネル５ａ同士を接続するためのコネクタ部７が収容されている。
【００１９】
また、框４の内端縁の４隅には、それぞれ、掘り炬燵の炬燵本体の脚部（図示せず）を載置するためのリブ４ｄが形成されている。
【００２０】
パネル層５は、相異なる２種類の平面視略長方形状の第１ヒートパネル５ａおよび第２ヒートパネル５ｂにより構成されている。
【００２１】
第１ヒートパネル５ａは、その長手方向の両端に配設され、当該第１ヒートパネル５ａに対して引出し可能に構成された一対のヒータ用コネクタ５１を備えている。一側（図２では左側）のヒータ用コネクタ５１は、中継コネクタ６１に接続された状態で当該第１ヒートパネル５ａ内に収容されている。他側（図２では右側）のヒータ用コネクタ５１は、第１ヒートパネル５ａの端縁から外部に露出した状態となっており、後述するコネクタ部７の中継コネクタ７１に接続されるようになっている。また、これら第１ヒートパネル５ａのヒータ用コネクタ５１間には、コードヒータやＰＴＣ（Ｐｏｓｉｔｉｖｅ  Ｔｅｍｐｅｒａｔｕｒｅ  Ｃｏｅｆｆｉｃｉｅｎｔ：正温度係数）ヒータ等のヒータ部材が介在している。このように構成された第１ヒートパネル５ａは、図２に示すように、ほぼ全面が発熱領域として機能するようになっており、中継コネクタ６１によりパネル同士を長手方向に電気接続して当該床暖房設備１を延設することが可能なように構成されている。
【００２２】
また、第２ヒートパネル５ｂは、その長手方向の一端にヒータ用コネクタ５１を備え、長手方向の他端側の所定領域にヒータ用コネクタ５１およびコネクタ部７の一部を備えている。これらのヒータ用コネクタ５１およびコネクタ部７は、当該第２ヒートパネル５ｂに対して引出し可能に構成されている。一側（図２では左側）のヒータ用コネクタ５１は、中継コネクタ６１に接続された状態で当該第２ヒートパネル５ｂ内に収容されており、他側（図２では右側）のヒータ用コネクタ５１は、コネクタ部７に接続された状態で当該第２ヒートパネル５ｂ内に収容されている。これら第２ヒートパネル５ｂのヒータ用コネクタ５１間には、コードヒータやＰＴＣヒータ等のヒータ部材が介在している。このように構成された第２ヒートパネル５ｂは、図２に示すように、他側のヒータ用コネクタ５１およびコネクタ部７の収容領域を除く領域が発熱領域として機能するようになっており、上記コネクタ部７によりパネル同士を短手方向に電気接続して当該床暖房設備１を延設することが可能なように構成されている。
【００２３】
これらのヒートパネル５ａおよび５ｂは、上記開口２ａを除く床下地２の根太２４上に所定の規則に従って並べて敷設されており、框４を開口２ａに嵌め込んだ状態では、パネルの上面と框４の上面とが略面一になっている。
【００２４】
具体的には、図２に示すように、框４の一短辺側（図２では左側）には、３つの第１ヒートパネル５ａが互いの長辺同士を接触させた状態で並設されており、框４の他短辺側（図２では右側）には、３つの第２ヒートパネル５ｂが互いの長辺同士を接触させた状態で並設されている。また、框４の両長辺側には、それぞれ、図略の第１ヒートパネルが敷設されている。
【００２５】
そして、框４の一短辺側に敷設された３つの第１ヒートパネル５ａは、コネクタ部７により互いに電気的に接続されている。なお、このコネクタ部７は、本発明の「框の一側の抉込み部のコネクタ部」に相当する。コネクタ部７は、接続するパネルに対応する数の中継コネクタ７１と、それらの中継コネクタ７１間を接続する送りコード７２および送り用コネクタ７３と、いわゆるダミープラグとしてのショートカットピン７４とを含んでいる。中継コネクタ７１には、雌端子を有する３つの端子差込口（図示せず）が形成されており、ヒータ用コネクタ５１の雄端子５１ａ（図３参照）、送り用コネクタ７３の雄端子７３ａ（図４参照）およびショートカットピン７４を用途に応じて差し込むことが可能なようになっている。
【００２６】
また、框４の他短辺側に敷設された３つの第２ヒートパネル５ｂは、それらのパネルに亘って内装されたコネクタ部７により電気的に接続されている。
【００２７】
ここで、上記した各第１ヒートパネル５ａの他側（図２では右側）のヒータ用コネクタ５１とそれらを接続するコネクタ部７とは、図２〜図４に示すように、充填材４ｂの上面により支持された状態で框４の抉込み部４ａ内に収容されており、かつ、框４の一短辺側の外端縁には、３つの第１ヒートパネル５ａの各端縁が突き当てられている。このコネクタ部７は、框４の抉込み部４ａ内に位置する収納位置と前記抉込み部４ａ内から外部に引き出した引出位置との間を、送りコード７２および次述の床下渡りケーブル８の余長を利用して移動可能なように構成されている。また、框４の他短辺側の外端縁には、３つの第２ヒートパネル５ｂの各端縁が突き当てられている。
【００２８】
また、框４の一短辺側の抉込み部４ａのコネクタ部７には、図４に示すように、床下渡りケーブル８の一端が送り用コネクタ７３を介して接続されており、この床下渡りケーブル８は、充填材４ｂの端部に形成された凹部４ｃおよび箱体３のつば部３ａに形成された貫通孔３ｂを通って箱体３の下方へと引き回されている。そして、当該床下渡りケーブル８の他端は、上述した框４の他短辺側の所定の第２ヒートパネル５ｂに内装されたコネクタ部７に送り用コネクタ７３を介して接続されている。
【００２９】
この床下渡りケーブル８により、框４の一短辺側の第１ヒートパネル５ａ同士を接続するコネクタ部７と、それと対向する他短辺側の第２ヒートパネル５ｂ同士を接続するコネクタ部７とを接続したので、例えば、図２の右上に位置する第２ヒートパネル５ｂに電力を供給することにより、第２ヒートパネル５ｂ同士を接続するコネクタ部７と床下渡りケーブル８と第１ヒートパネル５ｂ同士を接続するコネクタ部７とを介して、框４の両短辺側に敷設されたパネルに容易に電力を行き渡らせることができる。
【００３０】
本実施形態では、上記のように、框４の一短辺に形成された抉込み部４ａに、第１ヒートパネル５ａの他側の端縁に臨まされたヒータ用コネクタ５１に接続可能なコネクタ部７を収容したので、ほぼ全面が発熱領域として機能可能な第１ヒートパネル５ａの他側の端縁を框４の一短辺側の外端縁に突き当てて敷設することができる。これにより、框４の一短辺側の外端縁に第１ヒートパネル５ａの発熱領域を隣接させることができるので、コネクタ部７を内装することにより他側の端縁付近に非発熱領域を有するタイプの第２ヒートパネル５ｂの他側の端縁を框４の一短辺側の外端縁に突き当てて敷設する場合と異なり、框４の一短辺側の外端縁付近に低温領域が生じるのを抑制することができる。
【００３１】
また、本実施形態では、上記のように、第１ヒートパネル５ａ同士を接続するコネクタ部７を框４に形成された抉込み部４ａ（スリット）内に収容することによって、框４が前記コネクタ部７の上方を覆うので、コネクタ部７に水や埃等が付着するのを抑制することができる。これにより、漏電等によりパネルへの電力供給手段に不具合が発生するのを抑制することができる。
【００３２】
また、本実施形態では、上記のように、第１ヒートパネル５ａ同士を接続するコネクタ部７を、框４の抉込み部４ａ内に位置する収納位置と抉込み部４ａから外部に引き出した引出位置との間を、送りコード７２および床下渡りケーブル８の余長を利用して移動可能なように構成することによって、図３に仮想線で示すように、抉込み部４ａ内から引き出した状態のコネクタ部７の中継コネクタ７１と第１ヒートパネル５ａのヒータ用コネクタ５１との接続を行った後、互いに接続された中継コネクタ７１およびヒータ用コネクタ５１を抉込み部４ａ内に収納しながら、第１ヒートパネル５ａの端縁を框４の外端縁に突き当てて敷設することができるので、コネクタ部７と各第１ヒートパネル５ａのヒータ用コネクタ５１とをより容易に接続することができる。
【００３３】
上記実施形態では、床下地２に設けた開口２ａに、箱体３および框４からなる掘り炬燵の一部を嵌め込む例について示したが、本発明はこれに限らず、床下地２に設けた開口２ａに、框を有する床下収納ボックスや茶室等に設けられる炉などを嵌め込んでもよい。
【００３４】
また、上記実施形態では、第２ヒートパネル５ｂから第１ヒートパネル５ａへの電力供給手段として床下渡りケーブル８を使用する例について示したが、本発明はこれに限らず、上記電力供給手段として、図５に示すような框１０４に沿って配設された迂回コード９を使用してもよい。すなわち、框１０４の他短辺（図５では右側の辺）にも抉込み部を形成し、その抉込み部内に、第２ヒートパネル５ｂの一側の中継コネクタ６１に接続される中継コネクタ７５を収容する。そして、この中継コネクタ７５と第１ヒートパネル５ａ同士を接続するコネクタ部７とを当該迂回コード９および送り用コネクタ７３を用いて接続する。なお、框１０４の下面には、当該框１０４に沿って迂回コード９を配設するためのコード用溝が設けられている。また、中継コネクタ７５は、本発明の「框の他側の抉込み部のコネクタ部」に相当する。このような構成の床暖房設備１０１であれば、第２ヒートパネル５ｂから第１ヒートパネル５ａへの電力供給手段としてのコードを框４に沿わせて配設することができるので、コードが接地することにより腐食したり破損したりするのを抑制することができる。これにより、ヒートパネルへの電力供給手段に不具合が生じるのを抑制することができる。
【図面の簡単な説明】
【００３５】
【図１】本発明の一実施形態による床暖房設備の全体構成を示した分解斜視図である。
【図２】図１に示した床暖房設備の平面図である。
【図３】図２中のＡ−Ａ線に沿った断面図である。
【図４】図２中のＢ−Ｂ線に沿った断面図である。
【図５】本発明の変形例による床暖房設備の平面図である。
【図６】従来の床暖房設備を説明するための平面図である。
【図７】従来の床暖房設備を示した平面図である。
【符号の説明】
【００３６】
１、１０１  床暖房設備
２  床下地（床）
２ａ  開口
４、１０４  框
４ａ  抉込み部
５ａ  第１ヒートパネル（ヒートパネル）
７  コネクタ部
９  迂回コード（コード）
５１  ヒータ用コネクタ
７５  中継コネクタ（コネクタ部）
【図１】
2007093056.tif 000003
【図２】
2007093056.tif 000004
【図３】
2007093056.tif 000005
【図４】
2007093056.tif 000006
【図５】
2007093056.tif 000007
【図６】
2007093056.tif 000008
【図７】
2007093056.tif 000009